(57)【要約】      （修正有）【課題】非接触ＩＣカードをスキミングから守るとともに、財布を落としたり、掏り取られないように着衣やバツグに連結しておくストラップを備え、多様な形状やサイズの財布に加工をしないで適用できる財布保持具を提供する。【解決手段】導電体シートを内部に装着し、ストラップ取り付け部を備える折り曲げ自在なプレートに、非接触ＩＣカードを保持するカード収納部、ならびに、導電体シートを内部に装着するカード形状のピースを所定位置で、所定方向への移動を規制する規制構造によりプレートの長辺方向のサイズを設定する少なくとも一つのピース収納部で構成する。【選択図】図１
0003162735.tif 000002
【実用新案登録請求の範囲】
【請求項１】
導電体シートを内部に装着し、紙幣サイズで、長財布用、二つ折り財布用それぞれのストラップ取り付け部を備える折り曲げ自在なプレート、非接触ＩＣカードを保持するカード収納部、導電体シートを内部に装着するカード形状のピース、ならびにピースを所定位置で、所定方向への移動を規制する規制構造によりプレートの長辺方向のサイズを設定する少なくとも一つのピース収納部で構成し、カード収納部に非接触ＩＣカードを挿入するとともに、ピース収納部にピースを挿入し、ピース収納部の規制構造によりピースをプレートの外周短辺から所要幅突出させるとともに、突出幅を狭小する方向への移動を規制することにより、プレートの長辺方向のサイズを財布のサイズに適応させて、財布のポケットに収納し、ストラップを着衣やバッグに連結することにより、一切の加工を必要とせず財布の形状、サイズによらず、スキミング防止が図られ、財布を落としたり、掏り取られることがない、スキミングガード付き財布保持具。
【考案の詳細な説明】
【技術分野】
【０００１】導電体シートを内部に装着し、紙幣サイズで、長財布用、二つ折り財布用それぞれのストラップ取り付け部を備える折り曲げ自在なプレートに、非接触ＩＣカードを保持するカード収納部、ならびに、導電体シートを内部に装着するカード形状のピースを所定位置で、所定方向への移動を規制する規制構造によりプレートの長辺方向のサイズを設定する少なくとも一つのピース収納部で構成し、カード収納部に非接触ＩＣカードを挿入するとともに、ピース収納部にピースを挿入し、ピース収納部の規制構造によりピースをプレートの外周短辺から所要幅突出させるとともに、突出幅を狭小する方向への移動を規制することにより、プレートの長辺方向のサイズを財布のサイズに適応させて、財布のポケットに収納し、ストラップを着衣やバツグに連結して使用する、スキミングガード付き財布保持具。
【背景技術】
【０００２】近年、非接触ＩＣカードを利用した各種ＩＤカードが普及し、特に鉄道改札で使用する乗車カードでの導入が盛んである。非接触ＩＣカードは磁気カードに比べて記録情報量が多く、非接触式であるため自動改札などには最適であるが、反面、非接触性を悪用したスキミングによる第三者の不正使用などが社会問題となり、スキミングを防ぐ対策が種々提案され実用化されている。しかし一般的にスキミング防止対策は財布に直接組み込む方法がとられるが、財布のデザインや色彩などは個人の趣味で選ぶ傾向が強いため、気に入った財布でそのままスキミング防止が図られ、財布を落としたり、掏り取られないように、財布を着衣やバッグに連結しておくとともに、多様な財布の形状、サイズによらず一切の加工をしないで適用できる財布保持具が強く求められているが、これらの課題を全て解決できるものが現在は無い。
【考案が解決しようとする課題】
【０００３】非接触ＩＣカードの普及に伴い、カード保持者が気付かない状態でのスキミングが社会問題化しており、スキミングを防ぐ対策が強く求められている状況に対応して、デザインや色など個人の好みで選んだ財布をそのまま使用し、非接触ＩＣカードをスキミングから守るとともに、財布を落としたり、掏り取られないように着衣やバツグに連結しておくストラップを備え、多様な形状やサイズの長財布、二つ折り財布の何れにも一切の加工をしないで適用できる財布保持具を実現する。
【課題を解決するための手段】
【０００４】導電体シートを内部に装着し、紙幣サイズで、長財布用、二つ折り財布用それぞれのストラップ取り付け部を備える折り曲げ自在なプレートに、非接触ＩＣカードを保持するカード収納部、ならびに、導電体シートを内部に装着するカード形状のピースを所定位置で、所定方向への移動を規制する規制構造によりプレートの長辺方向のサイズを設定する少なくとも一つのピース収納部で構成し、カード収納部に非接触ＩＣカードを挿入するとともに、ピース収納部にピースを挿入し、ピース収納部の規制構造によりピースをプレートの外周短辺から所要幅突出させるとともに、突出幅を狭小する方向への移動を規制することにより、プレートの長辺方向のサイズを財布のサイズに適応させて財布のポケットに収納し、ストラップを着衣やバツグに連結する。
【考案の効果】
【０００５】導電体シートを内部に装着したプレートのカード収納部に非接触ＩＣカードを収納し、導電体シートを内部に装着したピースでプレートの長辺方向のサイズを設定して、財布のポケットに収納し、ストラップを着衣やバツグに連結することにより、デザインや色など個人の好みで選んだ財布をそのまま使用し、多様な形状やサイズの長財布、二つ折り財布の何れにも一切の加工をしないで適用でき、非接触ＩＣカードをスキミングから守るとともに、財布を落としたり、掏り取られない、財布保持具を実現する。
【考案を実施するための形態】
【０００６】ＩＣカードは接触端子を介して電力を外部から供給する接触タイプと、カードに内蔵するアンテナで電磁波から供給を受ける非接触タイプがあり、接触タイプはスキミングしようとする者の手にカードが渡らない限りスキミングされるリスクは少ないが、非接触タイプはＩＣによる高度なセキュリティ対策がほどこされているものの、リーダー・ライターとの間の電磁波（密接型は４．９１ＭＨｚ、近接型は１３．５６ＭＨｚの電磁波）を悪用することにより、カードの保持者が気付かずにカード情報をスキミングされる恐れがある。このため、導電体シートを財布の内部に装着して電磁波遮蔽を行う対策や、カードごとに導電体シートを装着する方法などが実用化されている。ただしカードごとの対処はカード枚数分の対処が必要であるなど煩雑である。また、財布に対策する方法は、財布の製造段階で加工するため、各人が気に入ったデザインや色の財布を手に入れられる保証は無く、使用している財布に何の加工もせずに簡単にスキミング対策出来ることが望まれる。このため、多様な形状やサイズの財布に一切の加工をせずに簡単に適用でき、かつ、財布を落としたり、掏り取られないように、財布を着衣やバツグに連結しておくことが極めて重要であり、本考案はかかる課題を一挙に解決するものである。
【０００７】図１は本考案によるスキミングガード付き財布保持具の概観構成図を示す。１は導電体シートを内部に装着し、ほぼ紙幣サイズで、折り曲げ自在に形成されるプレート、２はピース収納部、３はカード収納部、４はピース６を所定位置で所定方向への移動を規制するための規制構造の弁、５は非接触ＩＣカード、７は長財布用のストラップ止め部、８は二つ折り財布用の止め部を示す。財布のサイズや形状に適応させるためのプレートの横幅や折り返し余長は弁の配置間隔、配置個数などで決まるため、規制構造の弁は、適切な間隔で、必要な個数配置する必要が有る。弁の間隔を狭くして弁のサイズを大きく確保するため、弁を複数の列に分け、列間の弁を互い違いに配列し、図１では２列に配置してある。図２はプレートの構成図を示し、プレート外装９，１２の間に導電体シート１１を挟み、導電体シートによってカード収納部に収納されるカードをスキミングから保護する。アルミウムなどの導電素材で構成される導電体シートがリーダー・ライターとカードとの間に位置する場合は電磁波はシート表面で反射され、導電体シートがカードの背面に位置する場合は発生する渦電流により、いずれも非接触ＩＣカードの正常なリード・ライトは出来ない。
【０００８】スキミングガード付き財布保持具はカード収納部に非接触ＩＣカードを収納して財布のポケットに収納して使用するため、プレートは紙幣サイズ程度であることが必要であり、一万円札を対象にすれば７６×１６０ｍｍ程度，カードは８５．６×５７．５×０．７６ｍｍ程度を考慮する。一般的な長財布の短辺幅よりカードの長辺幅の方が長いため、カードを縦向きに収納するのは無理であり、図１に示すように、カード、ピースの収納部２，３は長手方向に収納し、長手方向に抜き差しする構造とする。このように長財布で長辺を横にしてカード、ピースを並べる場合はプレートの片面には２枚収納するのが限度である。一方、二つ折り財布の場合は、２０〜３０ｍｍ程度の折り返し余長だけ長財布より長くなるため、長財布に合わせてカード、ピースを並べたプレートを二つ折り財布のポケットに収納すると、硬質のカードが折り返し部にかかるため財布の折り畳みが出来なくなる。二つ折り財布でも問題なくプレートを財布のポケットに収納するには、財布の折り返し余長位置にカードやピースを入り込ませないことが必要であり、財布の折り返し余長に適した隙間を設けることが必要である。このため、カード収納部は挿抜口をプレートの外周短辺側にのみ構成し中央側は閉じてカードの移動を防ぎ、ピース収納部はピースをプレートの外周短辺から折り返し余長相当突出させて移動を規制する。この結果、ピースはプレートから大きくはみ出してプレートの内部に装着する導電体シートから外れるため、はみ出した部分のスキミング防止対策が重要になる。
【０００９】図３はピース収納部２にピース６を挿入する移動方向を矢印で示す。ピースの前端Ｃを挿入口Ａから挿入し、抜去口Ｂに向けて移動させる。すなわちＡ→Ｂへの移動は出来るが、Ｂ→Ａの移動は、ピースの後端Ｄが弁の配置されている範囲に有る場合は、ピースの後端Ｄが弁によって移動を規制されるため逆への移動ができない。規制構造の弁は図５に示すように、ピース収納部に一部の連結部１３を残して輪郭を分離した弁４を抜去口Ｂに向けて所定位置に、所定間隔で複数配置し、弁の先端部はピースの通路に向けて若干傾斜を持たせてピースの端部に当て易くするか、または弁の先端部をフラットにして、指などで押し下げてピースの端部に当てる。図４は、ピースをピース収納部の挿入口Ａから挿入し、二つ折財布の折り返し余長Ｌが確保できる位置の弁４を通過した位置で、矢印方向に若干戻すことにより、ピースの後端Ｄを弁に当てて移動を規制して、これ以上Ｂ方向から押し込むことが出来ない状況を示しており、ピースの前端Ｃがプレートの外周短辺から突出し、突出幅を狭小するＡ方向への移動を規制することにより折り返し余長Ｌが維持され、二つ折り財布を折り畳んでもピースやカードが折り返し余長内に入り込むことはない。
【００１０】ピース６の前端はプレートの外周短辺から大きくはみ出すが、はみ出した部分はピースの内部に装着される導電体シートによりスキミングがカバーされる。このように、財布の形状、サイズによらず、ピースとプレートの内部に装着される導電体シートが財布をカバーするため、装着部に挿入されたカード、ならびに財布の中でプレートに近接する非接触ＩＣカードもスキミングから保護される。７は長財布にストラップを取り付けるための取り付け部であり、プレートの両側端部に形成され財布の蓋の間からストラップを引き出す方向に合わせて任意に選ぶことが出来る。８は二つ折り財布にストラップを取り付けるための取り付け部であり、長穴になっているのはピースにより折り返し余長の調節を行った場合にプレートのセンターが移動するため、二つ折り財布の下部中央の折り返し穴からストラップを支障なく引き出す工夫である。図８、図９にストラップの引き出し状態を示し、長財布は蓋の間から、二つ折り財布の場合は下部中央の折り返し穴から引き出されて着衣やバッグに連結するため財布が簡単に脱落することは無い。
【００１１】非接触ＩＣカードの中で、鉄道の改札カードに関しては朝、夕の通勤時の使用頻度が極めて高く、スキミング保護がされた財布では改札を通過する都度、カードを取り出さねばならず極めて煩わしい。この種のカードは、図２に示す磁性体シートを組み込んだプレート構成において、リーダー・ライター→改札カード→｛（プレート外装９）→（磁性体シート１０）→（導電体シート１１）→（プレート外装１２）｝の順に配列し、改札カードを磁性体シート１０側に重ねて、財布の最外側のポケットに外を向けて収納することにより、リーダー・ライターからの電磁波はカードを通過した後、この磁性体シートで熱エネルギーに変換されるため、磁性体シートの後ろに配置される導電体シートに渦電流は発生せず改札カードは正常にリード・ライトされるため改札カードをいちいち取り出さなくても改札を通過できる。カードを取り出さずに改札を通過する別の構成は、プレートには磁性体シートを内部に装着せず導電体シートのみを内部に装着し、磁性体シートと導電体シートを外装内に重ねて装着したピースをピース収納部に挿入して、リーダー・ライター→改札カード→｛（ピース外装）→（磁性体シート）→（導電体シート）→（ピース外装）｝の順に配列し、改札カードをピースの磁性体シート側に重ねて、改札カードを財布の最外側のポケットに外を向けて収納することにより、改札カードはリード・ライト可能となる。
【実施例】
【００１２】導電体シートを内部に装着するプレートは一万円サイズ（７６×１６０ｍｍ）とし、カード収納部のカードの収納可能サイズは８６×５８×１ｍｍとした。規制構造の弁はΦ６ｍｍでピース収納部との連結部を一部に備え首振り可能な円弧状弁で構成し、調節間隔は５ｍｍで、２列の配置とした。プレートの外装、カード収納部、ピース収納部などは０．３ｍｍ厚の軟質塩化ビニール、ストラップ取り付け部はΦ３ｍｍで周辺を補強した穴状とした。ピースは導電体シートを樹脂材の外装で挟みこんでカード形状とした。また、ピース収納部の開口を挿入口と抜去口とを別々に形成したが、両方を兼ねた挿抜口とすることも出来る。ただしこの場合は、ピース挿入時に弁がピースの挿入を規制しないように、弁の先端部をフラットにして、弁を指などで押し下げてピースの移動を規制する。さらに、規制構造の弁は規制力を強めるために強度の高い素材で補強したり、ピース収納部と一体ではなく、弁を別体で形成して収納部に組み込む構造も可能で、形状も円弧状に限らず矩形、台形、楕円などでも良い。【００１３】ピースをプレートの外周短辺から突出保持させる規制構造としては弁に限定されず、ピース面に所定間隔で形成する穴や、側面に形成する所定間隔の刻みなどをピース収納部に形成する突起で押圧したり、または滑り止めでピースを押圧するなどしてピースの押し込みを規制する構造で実現できるなど、種々の手段が考えられる。非接触ＩＣカード収納部をプレートの裏面にも形成して、カードの収納枚数を増やすことが出来る。ピースは別体で構成されているためサイズがカードとほぼ同等であれば、長財布などでプレートのサイズ調節が不要な場合は、ピースを単独のスキミング防止カードとして利用できるとともに、汎用のスキミング防止カードをピースとして応用できる。また、プレートのサイズは非接触ＩＣカードそのものをピース収納部に挿入して設定し、このカードの上、または下にピースを重ねることにより、ピースはカード形状に形成するが、サイズや強度はカードと同じにする必要は無く各種構成に応じて最適化する。また、改札を通過可能なピースに関しては、導電体シートと磁性体シートを一体化せず分離して形成して必要に応じて磁性体ピースを重ねて使用する形態も有る。さらに、プレート外周のコーナーにおいて短辺方向を開放し、長辺方向に挿抜口を設けることにより、カード、ピースをプレートの短辺方向に抜き差しする構造も可能であるなど、各種素材、形状、構成、デイメンジョンなどに関しては、本考案の趣旨を逸脱しない範囲であれば種々変形実施が可能である。
【図面の簡単な説明】
【００１４】
【図１】本考案によるスキミングガード付き財布保持具の概観構成図
【図２】プレートの構成概念図
【図３】ピースの挿入方向を示す概念図
【図４】余長をＬとしてピースをセットした概念図
【図５】規制構造の弁の構成説明図
【図６】規制構造の弁の機能説明図
【図７】余長Ｌの二つ折財布にスキミングガード付き財布保持具を装着した概観図
【図８】長財布にスキミングガード付き財布保持具を装着した概観図
【符号の説明】１  プレート                            １０  磁性体シート
２  ピース収納部                        １１  導電体シート
３  カード収納部                        １２  プレート外装
４  規制構造の弁                        １３  弁の連結部
５  非接触ＩＣカード                    １４  ストラップ
６  ピース                                Ａ  ピース挿入口
７  長財布用ストラップ取り付け部          Ｂ  ピース抜去口
８  二つ折り財布用ストラップ取り付け部    Ｃ  ピース前端
９  プレート外装                          Ｄ  ピース後端
Ｌ  二つ折り財布の折り返し余長
【図１】
0003162735.tif 000003
【図２】
0003162735.tif 000004
【図３】
0003162735.tif 000005
【図４】
0003162735.tif 000006
【図５】
0003162735.tif 000007
【図６】
0003162735.tif 000008
【図７】
0003162735.tif 000009
【図８】
0003162735.tif 000010